【手続補正書】
【提出日】平成20年2月22日(2008.2.22)
【手続補正１】
【補正対象書類名】明細書
【補正対象項目名】特許請求の範囲
【補正方法】変更
【補正の内容】
【特許請求の範囲】
【請求項１】
第１のトランジスタと、第２のトランジスタと、第３のトランジスタと、有機発光素子と、電源線とを有する発光装置であって、
前記第１及び前記第２のトランジスタのソース領域又はドレイン領域の一方は、共に前記電源線に電気的に接続されており、
前記第１のトランジスタのゲート電極は、前記第２のトランジスタのソース領域又はドレイン領域の他方及びゲート電極と、前記第３のトランジスタのソース領域又はドレイン領域の一方と、に電気的に接続されており、
前記第３のトランジスタのソース領域又はドレイン領域の他方は、前記有機発光素子に電気的に接続されており、
前記第１、前記第２及び前記第３のトランジスタは飽和領域で動作しており、
１フレーム内に、前記第１のトランジスタのソース領域又はドレイン領域の他方と、前記第３のトランジスタのゲート電極とが、電気的に接続されている期間を有し、
前記期間において前記第１のトランジスタのドレイン電流の大きさを制御することで、前記有機発光素子の輝度を制御することを特徴とする発光装置。
【請求項２】
第１のトランジスタと、第２のトランジスタと、第３のトランジスタと、有機発光素子と、電源線とを有する発光装置であって、
前記第１及び前記第２のトランジスタのソース領域又はドレイン領域の一方は、共に前記電源線に電気的に接続されており、
前記第１のトランジスタのゲート電極は、前記第２のトランジスタのソース領域又はドレイン領域の他方及びゲート電極と、前記第３のトランジスタのソース領域又はドレイン領域の一方と、に電気的に接続されており、
前記第３のトランジスタのソース領域又はドレイン領域の他方は、前記有機発光素子に電気的に接続されており、
前記第１、前記第２及び前記第３のトランジスタは飽和領域で動作しており、
１フレーム中に、前記第１のトランジスタのソース領域又はドレイン領域の他方と、前記第３のトランジスタのゲート電極とが、電気的に接続されている期間を有し、
前記期間において前記第１のトランジスタのドレイン電流の大きさをビデオ信号により制御することで、前記有機発光素子の輝度を制御することを特徴とする発光装置。
【請求項３】
第１のトランジスタと、第２のトランジスタと、第３のトランジスタと、第４のトランジスタと、第５のトランジスタと、有機発光素子と、電源線と、信号線と、走査線とを有する発光装置であって、
前記第１及び前記第２のトランジスタのソース領域又はドレイン領域の一方は、共に前記電源線に電気的に接続されており、
前記第１のトランジスタのゲート電極は、前記第２のトランジスタのソース領域又はドレイン領域の他方及びゲート電極と、前記第３のトランジスタのソース領域又はドレイン領域の一方と、に電気的に接続されており、
前記第１のトランジスタのソース領域又はドレイン領域の他方は、前記第４のトランジスタのソース領域又はドレイン領域の一方と電気的に接続されており、
前記第３のトランジスタのゲート電極は、前記第５のトランジスタのソース領域又はドレイン領域の一方と電気的に接続されており、
前記第３のトランジスタのソース領域又はドレイン領域の他方は、前記有機発光素子に電気的に接続されており、
前記第４及び前記第５のトランジスタのゲート電極は、共に前記走査線に電気的に接続されており、
前記第４及び前記第５のトランジスタのソース領域又はドレイン領域の他方は、共に前記信号線に電気的に接続されており、
前記第１、前記第２及び前記第３のトランジスタは飽和領域で動作していることを特徴とする発光装置。
【請求項４】
第１のトランジスタと、第２のトランジスタと、第３のトランジスタと、第４のトランジスタと、第５のトランジスタと、有機発光素子と、電源線と、信号線と、走査線とを有する発光装置であって、
前記第１及び前記第２のトランジスタのソース領域又はドレイン領域の一方は、共に前記電源線に電気的に接続されており、
前記第１のトランジスタのゲート電極は、前記第２のトランジスタのソース領域又はドレイン領域の他方及びゲート電極と、前記第３のトランジスタのソース領域又はドレイン領域の一方と、に電気的に接続されており、
前記第１のトランジスタのソース領域又はドレイン領域の他方は、前記第４及び前記第５のトランジスタのソース領域又はドレイン領域の一方に電気的に接続されており、
前記第３のトランジスタのゲート電極は、前記第５のトランジスタのソース領域又はドレイン領域の他方に電気的に接続されており、
前記第３のトランジスタのソース領域又はドレイン領域の他方は、前記有機発光素子に電気的に接続されており、
前記第４及び前記第５のトランジスタのゲート電極は、共に前記走査線に電気的に接続されており、
前記第４のトランジスタのソース領域又はドレイン領域の他方は、前記信号線に電気的に接続されており、
前記第１、前記第２及び前記第３のトランジスタは飽和領域で動作していることを特徴とする発光装置。
【請求項５】
第１のトランジスタと、第２のトランジスタと、第３のトランジスタと、第４のトランジスタと、第５のトランジスタと、有機発光素子と、電源線と、信号線と、走査線とを有する発光装置であって、
前記第１及び前記第２のトランジスタのソース領域又はドレイン領域の一方は、共に前記電源線に電気的に接続されており、
前記第１のトランジスタのゲート電極は、前記第２のトランジスタのソース領域又はドレイン領域の他方及びゲート電極と、前記第３のトランジスタのソース領域又はドレイン領域の一方と、に電気的に接続されており、
前記第１のトランジスタのソース領域又はドレイン領域の他方は、前記第５のトランジスタのソース領域及びドレイン領域の一方に電気的に接続されており、
前記第３のトランジスタのゲート電極は、前記第４のトランジスタのソース領域又はドレイン領域の一方、及び前記第５のトランジスタのソース領域又はドレイン領域の他方に電気的に接続されており、
前記第３のトランジスタのソース領域又はドレイン領域の他方は、前記有機発光素子に電気的に接続されており、
前記第４及び第５のトランジスタのゲート電極は、共に前記走査線に電気的に接続されており、
前記第４のトランジスタのソース領域又はドレイン領域の他方は、前記信号線に電気的に接続されており、
前記第１、前記第２及び前記第３のトランジスタは飽和領域で動作していることを特徴とする発光装置。
【請求項６】
請求項３乃至請求項５のいずれか一において、
前記第１のトランジスタのドレイン電流の大きさを制御することで、前記有機発光素子の輝度を制御することを特徴とする発光装置。
【請求項７】
請求項６において、
前記ドレイン電流の大きさをビデオ信号によって制御することを特徴とする発光装置。
【請求項８】
請求項３乃至請求項７のいずれか一において、
１フレーム内に、前記第４及び前記第５のトランジスタがオンになる期間を有し、
前記期間において前記ビデオ信号を制御することで、前記有機発光素子の輝度を制御することを特徴とする発光装置。
【請求項９】
請求項３乃至請求項８のいずれか一において、
第６のトランジスタをさらに有し、
前記第６のトランジスタは、ゲート電極が前記走査線とは別の走査線に電気的に接続され、ソース領域又はドレイン領域の一方が前記電源線に電気的に接続され、他方が前記第１のトランジスタのゲート電極に電気的に接続されていることを特徴とする発光装置。
【請求項１０】
請求項３乃至請求項９のいずれか一において、
前記第４及び前記第５のトランジスタの極性が同じであることを特徴とする発光装置。
【請求項１１】
請求項１乃至請求項１０のいずれか一において、
前記第１、前記第２及び前記第３のトランジスタの極性が同じであることを特徴とする発光装置。
【請求項１２】
請求項１乃至請求項１１のいずれか一に記載の発光装置を用いることを特徴とする電子機器。